【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
少なくとも１つのサウンド反射面を有する室内におけるサウンドコントロール領域中のホログラフィック空間サウンドフィールドを再生するように構成されたサラウンドサウンドシステムであって、
前記サウンドコントロール領域の周りに配置された複数のステアリング可能なラウドスピーカーであって、各ラウドスピーカーが、複数のスピーカー入力信号を有し、各スピーカー入力信号が、前記ラウドスピーカーによって発生され得る複数の異なる個別指向性ビーム応答パターンのうちの１つを制御し、前記ラウドスピーカーから発する音波を全体指向性応答が、前記スピーカー入力信号によって規定される前記個別指向性ビーム応答の合成によって生成される、ラウドスピーカーと、
前記ラウドスピーカーの各々に接続され、プレイバックモードにおいて前記サウンドコントロール領域における再生のために前記ホログラフィック空間サウンドフィールドを表す入力空間オーディオ信号を受信する制御ユニットであって、前記制御ユニットが、１つまたは複数のラウドスピーカーから直接的に前記サウンドコントロール領域中に発した直接音、及び前記室内の前記（１つまたは複数の）反射面から前記サウンド制御領域中に発した反射音の形態で前記ホログラフィック空間サウンドフィールドを再生するために、前記サウンドコントロール領域において１つに合成するように協調されたそれぞれの全体指向性応答を備える音波を発生させるために、前記ラウドスピーカーを駆動するための前記スピーカー入力信号を発生させるために前記入力空間オーディオ信号をフィルタリングするための事前構成されたフィルタを有し、前記制御ユニットの前記フィルタが、プレイバックモードで動作する前に構成モードで、前記サウンド制御領域に配置されたマイクロフォンアレイを備えるサウンドフィールドレコーディングシステムによって測定された音響伝達関数データに基づいて、事前構成され、音響伝達関数データが、前記室内においてそれぞれのロケーションにおけるそれらの個別指向性ビーム応答パターンの各々について前記ラウドスピーカーの各々によって発生されたテスト信号に応答して、前記マイクロフォンアレイによって測定された前記音響伝達関数を表す、制御ユニットと
を備える、サラウンドサウンドシステム。
【請求項２】
前記制御ユニットの前記フィルタは、アンビソニックラウドスピーカーフィルタであり、前記入力空間オーディオ信号は、受信され、前記ラウドスピーカーについての前記スピーカー入力信号を発生させるために、前記制御ユニット中の前記フィルタによって直接的にフィルタリングされるアンビソニック符号化サラウンドフォーマットであるか、あるいは、
前記入力空間オーディオ信号は、非アンビソニックサラウンドフォーマットであり、前記制御ユニットが、前記制御ユニット中で前記フィルタによる後続のフィルタリングのために前記非アンビソニック入力信号をアンビソニックサラウンドフォーマットに変換して、前記ラウドスピーカーについての前記スピーカー入力信号を発生させるように構成されたコンバータをさらに備える、請求項１に記載のサラウンドサウンドシステム。
【請求項３】
前記制御ユニットは、前記制御ユニットが前記室内のための前記フィルタを構成する構成モードと、前記制御ユニットが前記ラウドスピーカーを使用して前記空間サウンドフィールドの再生のために前記入力空間オーディオ信号を処理するプレイバックモードとの間で切替え可能であり、前記制御ユニットが、前記サウンドフィールドレコーディングシステムによって測定された前記室内に関する入力音響伝達関数データに基づいて、前記構成モードにおいて自動的に前記フィルタを構成するように配列された構成モジュールを備え、前記構成モジュールが、前記サウンドフィールドレコーディングシステムから、未加工の測定音響伝達関数データを受信し、そのデータを前記制御ユニットの前記フィルタを構成するために使用される前記音響伝達関数データのアンビソニック表現に変換する、請求項１又は２に記載のサラウンドサウンドシステム。
【請求項４】
前記サラウンドサウンドシステムが、２Ｄサウンドコントロール領域中で２Ｄ空間サウンドフィールド再生を行うように構成され、前記サウンドコントロール領域が円形であり、所定の直径を有し、前記サウンドコントロール領域が水平面内に配置され、前記ラウドスピーカーが少なくとも部分的に前記サウンドコントロール領域と共面である、請求項１〜３のいずれか一項に記載のサラウンドサウンドシステム。
【請求項５】
各ラウドスピーカーがそれぞれのラウドスピーカーロケーション領域内に配置され、前記室内が、ラウドスピーカーの数に基づいて、放射状かつ均等に前記サウンドコントロール領域の起点を中心としてラウドスピーカーロケーション領域へとセグメント化され、各ラウドスピーカー領域が、前記サウンドコントロール領域の前記起点から外向きに延びている半径境界線の対の間に延びるように規定され、半径境界線の各対の間の角距離が３６０°／Ｌに対応し、Ｌはラウドスピーカーの前記数である、請求項１〜４のいずれか一項に記載のサラウンドサウンドシステム。
【請求項６】
各ラウドスピーカーが、最高Ｍ次の指向性パターンを有する全体指向性応答を発生させるように構成され、Ｍは少なくとも１であり、好ましくは４であり、２Ｍ＋１の値が、各ラウドスピーカーのために利用可能な個別指向性ビーム応答パターンの前記数に対応する、請求項１〜５のいずれか一項に記載のサラウンドサウンドシステム。
【請求項７】
各ラウドスピーカーが、少なくとも個別指向性ビーム応答パターンを備え、該個別指向性ビーム応答パターンは、１次指向性応答及び／又は２Ｍ＋１個の位相モード指向性応答及び／又はオムニ指向性応答と、ｍ＝１，２，・・・，Ｍに関するｃｏｓ（ｍφ）およびｓｉｎ（ｍφ）に対応し、φは、前記ラウドスピーカーの起点に対する全体指向性応答の前記ラウドスピーカーの前記所望の角度方向に等しい、請求項６に記載のサラウンドサウンドシステム。
【請求項８】
各ラウドスピーカーの前記全体指向性応答が、前記ラウドスピーカーの起点に対して３６０°ステアリング可能であり、各ラウドスピーカーが単一のハウジング中で幾何学的配列で構成された複数のドライバを備え、各ドライバが、音波を発生させるためのドライバ信号によって駆動され、各ラウドスピーカーが、前記ラウドスピーカーの個別指向性ビーム応答パターンに対応する前記スピーカー入力信号を受信し、処理するように構成され、前記所望の全体指向性応答を有する全体的な音波を生成するために前記ラウドスピーカードライバを駆動させるためのドライバ信号を発生させるビームフォーマモジュールをさらに備える、請求項１〜７のいずれか一項に記載のサラウンドサウンドシステム。
【請求項９】
各ラウドスピーカーが、所定の半径のモノポールドライバの均一円形アレイが内部に装着されるハウジングを備え、ドライバの数および半径が、前記ラウドスピーカーに必要とされる指向性パターンの所望の最大次数に基づいて選択され、前記モノポールドライバが、前記サラウンドサウンドシステムの動作周波数範囲の最大周波数の波長の半分以下だけ互いに離間している、請求項１〜８のいずれか一項に記載のサラウンドサウンドシステム。
【請求項１０】
少なくとも４つのステアリング可能なラウドスピーカーを備える、請求項１〜９のいずれか一項に記載のサラウンドサウンドシステム。
【請求項１１】
前記空間サウンドフィールドが、前記室内の１つまたは複数の反射面から反射される音波からの１次反射、２次反射、および／またはそれよりも高い次数の反射と合成した直接音によって前記サウンドコントロール領域において表される、請求項１〜１０のいずれか一項に記載のサラウンドサウンドシステム。
【請求項１２】
前記サラウンドサウンドシステムが、高次アンビソニクス空間サウンドフィールドを再生するように構成可能である、請求項１〜１１のいずれか一項に記載のサラウンドサウンドシステム。
【請求項１３】
前記サウンドコントロール領域の前記直径が約０．１７５ｍ〜約１ｍの範囲である、請求項１〜１２のいずれか一項に記載のサラウンドサウンドシステム。
【請求項１４】
前記サラウンドサウンドシステムが、３Ｄサウンドコントロール領域中で３Ｄ空間サウンドフィールド再生を行うように構成され、前記３Ｄサウンドコントロール領域の形状が球形である、請求項１〜７のいずれか一項に記載のサラウンドサウンドシステム。
【請求項１５】
サウンドコントロール領域中でホログラフィック空間サウンドフィールドを再生するために複数のステアリング可能なラウドスピーカーを駆動するためのオーディオデバイスであって、各ラウドスピーカーがそれぞれのスピーカー入力信号によって制御される複数の異なる個別指向性ビーム応答パターンを有して、前記スピーカー入力信号によって規定される前記個別指向性ビーム応答の合成によって生成される所望の全体指向性応答とともに前記ラウドスピーカーから発する音波を発生させ、前記ラウドスピーカーが、少なくとも１つのサウンド反射面を有する室内におけるサウンドコントロール領域の周りに配置される、オーディオデバイスであって、
前記サウンドコントロール領域における再生のために前記ホログラフィック空間サウンドフィールドを表す入力空間オーディオ信号を受信するための入力インターフェースと、  前記サウンド制御領域に配置されたマイクロフォンアレイを備えるサウンドフィールドレコーディングシステムによって測定された音響伝達関数を表す音響伝達関数データに基づいて構成可能であるフィルタを備えたフィルタモジュールであって、音響伝達関数データが、前記室内においてそれぞれのロケーションにおけるそれらの個別指向性ビーム応答パターンの各々について前記ラウドスピーカーの各々によって発生されたテスト信号に応答して、前記マイクロフォンアレイによって測定された前記音響伝達関数を表し、前記フィルタが、前記ラウドスピーカーのうちの１つまたは複数から直接的に前記サウンドコントロール領域中に発した直接音、及び前記室内の前記（１つまたは複数の）反射面から前記サウンド制御領域中に発した反射音の形態で前記ホログラフィック空間サウンドフィールドを再生するために、前記サウンドコントロール領域において１つに合成するように協調されたそれぞれの全体指向性応答を備える音波を発生させるために、前記ラウドスピーカーを駆動するためのスピーカー入力信号を発生させるために前記入力空間オーディオ信号をフィルタリングする、フィルタモジュールと、
すべての前記ラウドスピーカーに接続し、前記スピーカー入力信号を前記ラウドスピーカーに送るための出力インターフェースと
を備える、オーディオデバイス。